(57)【特許請求の範囲】
【請求項１】
浴槽内の湯を循環ポンプにより吸湯管から汲み上げ、湯の汚れを濾過する濾過手段と、湯を殺菌する殺菌手段と、所定温度の湯を保温する保温ヒータとを備え、保温と清浄化処理を施して再度湯を噴湯管から浴槽へ戻す浴槽湯の清浄化装置において、前記保温ヒータヘの電力を一時的に切断するためのヒータ一時切断手段と、該ヒータ一時切断手段による電力供給切断であることを表示する表示手段と、前記ヒータ一時切断手段による切断時に湯の保温温度が大幅に温度低下しない予め定めた時間を計測するタイマーと、前記ヒータ一時切断手段に対応して、前記ヒータヘの電力供給を前記タイマーの計測時間だけ切断すると共に、前記タイマー終了後に自動的に前記ヒータヘ電力供給するようにしたことを特徴とする浴槽湯の清浄化装置。
【請求項２】
浴槽内の湯を循環ポンプにより吸湯管から汲み上げ、湯の汚れを濾過する濾過手段と、湯を殺菌する殺菌手段と、所定温度の湯を保温する保温ヒータとを備え、保温と清浄化処理を施して再度湯を噴湯管から浴槽へ戻す浴槽湯の清浄化装置において、前記保温ヒータヘの電力を一時的に切断するためのヒータ一時切断手段と、該ヒータ一時切断手段による電力供給切断であることを表示する表示手段と、前記ヒータ一時切断手段による切断時に湯の保温温度が大幅に温度低下しない予め定めた時間を計測するタイマーと、前記ヒータ一時切断手段に対応して、前記ヒータヘの電力供給を前記タイマーの計測時間だけ切断して、前記タイマー終了後に自動的に前記ヒータヘ電力供給するようにすると共に、前記タイマー終了前の電力供給切断時に入力手段の操作により切断制御を解除するようにしたことを特徴とする浴槽湯の清浄化装置。
【発明の詳細な説明】
【０００１】
【産業上の利用分野】
本発明は風呂装置に係り、特に浴槽内の湯を強制的に循環させつつ濾過、保温、殺菌等の清浄化の処理をする浴槽湯の清浄化装置において、特に利用者が任意の時点で必要に応じてヒータへの電源を一時的に切断できる装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置の利用が盛んになつてきた。
【０００３】
このような浴槽湯の清浄化装置の１例は図６に示す通りであり、１が浴槽、２が湯、３が浴槽１内の湯２を汲み上げるための吸湯管、４が吸湯管３で汲み上げられた湯を清浄化処理するための機器類をまとめて配備した装置本体、９が装置本体４で処理された湯を浴槽１内に再び噴出させるための噴湯管である。
【０００４】
装置本体４には、浴槽湯中の汚れを取り除くため、活性炭、活性石、多孔質セラミツクボール等の各種の粒状濾材や繊維状フイルタが単独或いは複合して装填された濾過タンク５、湯を強制循環するための循環ポンプ６、湯を適温に保つためのヒータ７、湯をオゾン殺菌するためのオゾナイザ８等の清浄化処理機器が配備されている。
【０００５】
１０は大きな汚れを装置本体４に汲み上げる前に予め取り除くため吸湯管３の先端に取り付けたプレフイルタであり、１１は清浄化処理の終わった湯を流速の早いジエツト流として浴槽１内に噴出する吸気管１２がエジエクタ部に接続するジエツトノズルである。
【０００６】
ジエツトノズル１１のエジエクタ部に接続する吸気管１２の先端には管路を開閉するための電磁弁１３が設けられ、途中にオゾナイザ８が配備されていて、電磁弁１３を開くとジエツトノズル１１の吸気力で吸気管１２から空気が吸い込まれ、この空気がエジエクタ部２４で湯に混入されジエツトノズル１１から湯と共に空気が浴槽１内に噴出して泡風呂となり、さらにオゾナイザ８を作動させると吸い込まれた空気がオゾン化されて浴槽１内に噴出され湯２がオゾン殺菌される。
【０００７】
またこの装置では、濾過タンク５の濾材を汚れを落とすため、タンク内に湯を逆流させていわゆる逆洗をしたり、ジエツト流を強くするため、湯を抵抗の少ないバイパス管を流すように管路を切り換えられるよう、吸湯管３及び噴湯管９に各々切換弁１４及び１５が配備されている。
【０００８】
１６は抵抗の大きい濾過タンク５に湯を通さないバイパス管路を形成するため吸湯管３と噴湯管９とを切換弁１４及び１５を介して連結したバイパス管であり、１７は逆洗用の湯を排出するため吸湯管３に切換弁１４を介して連結した排湯管である。
【０００９】
１８は管路内の湯が水張りの際に抜けてしまったり、循環ポンプの作動を停止した際に浴槽１に逆流するのを防止するために吸湯管３に設けた逆止弁でり、１９は浴槽中の湯が抜けてしまったり、或は管路内に装置の損傷その他の理由で空気が吸い込まれ循環ポンプの吸湯能力が無くなり空運転し循環路中に湯が流れなくなり、ポンプ自体が壊れてしまったり、さらにはヒータ７が空焚き状態になるのをを防ぐための、安全装置として作用する水不足センサとしての循環ポンプ６の吸込側と吐出側との圧力差に基づく差圧センサであり、２０はヒータ７への電源を制御し湯の温度を適温に保つため絶えず湯の温度を検知し制御装置に送る湯温センサである。
【００１０】
以上のように構成される装置では、利用者が必要に応じて様々な運転モードを設定して運転できるようになっており、通常は清浄化のモードで運転され、浴槽１内の湯２は、プレフイルタ１０で大きな汚れを取り除いた後濾過タンク５で濾過をし、ヒータ７で加熱した後噴湯管９の先端のジエツトノズル１１からオゾン化された空気が噴出しオゾン殺菌する。
【００１１】
このように、清浄化のモードで装置が運転されている場合には浴槽１内には絶えずオゾン化空気が噴出されているので、入浴者は入浴の際にはオゾン化空気を吸い込まないために入浴時間に限ってオゾン殺菌を切断する入浴モードが設定できるようになっており、入浴モードが設定されると、電磁弁１３を閉じると同時にオゾナイザ８の作動も停止して、約１時間程度に設定されている入浴モードの時間中は浴槽内へのオゾン化空気の噴出が止められるようにしている。
【００１２】
また湯中に空気を混入したジエツト流を浴槽内に噴出させいわゆる泡風呂を入浴者が楽しめるようにするためジエツトモードが設定でるようになっており、入浴モードにおいてさらにジエツトモードが設定されると、電磁弁１３のみが開いて吸気管１２から吸い込まれた空気がジエツトノズル１１から湯と共に浴槽１内に噴出し泡風呂となり、ジエツトモードでも特に強が設定されている場合には、切換弁１４及び１５を切り換え、吸湯管３から汲み上げた浴槽１内の湯２を濾過タンク５及びヒータ７は流さないでバイパス管１６を介して噴湯管９に直接流すようにする。
【００１３】
すると湯の循環路の抵抗が減ってジエツトノズル１１を流れる湯の流速が速くなり、同時にエジエクタ部２４で形成される負圧の度合いも高くなって吸気管１２からの吸気量も多くなるので、ジエツト流の強さが強くなる。
【００１４】
さらに清浄化処理を続け濾過タンク５の濾材を洗浄したい場合には、切換弁１４及び１５を切り換え、吸湯管３から汲み上げた浴槽１内の湯２をバイパス管１６を介して濾過タンク５内を逆流させ、排湯管１７から排出するように流しいわゆる逆洗をする逆洗モードや、深夜にオゾンの吸込量を減らして装置騒音わ減らす静音モード等も設けられている。
【００１５】
【発明が解決しようとする課題】
しかしながら、以上のように構成される装置は消費電力が大きいのでこの装置を浴室に配備したために家庭内で他の電気機器を利用するのが不便になるという問題が生じた。
【００１６】
すなわち、最近の家庭内では１２００Ｗ程度のヘアードライヤ、電子レンジ、エアコン、衣類乾燥機、ホツトプレート等様々な消費電力の大きな電気機器類が既に利用されており、ここに８００Ｗ程度のヒータが配備されているために消費電力が９００Ｗと大きくしかも２４時間連続的に利用される浴槽湯清浄化装置を配備すると、前記したような電器機器類を使用した際に家庭内の総消費電力は通常の家庭の契約電力である３０Ａを越え分電盤のアンペアブレーカがしばしば落ちてしまうようになる。
【００１７】
この家庭内の総消費電力に影響されるアンペアブレーカが落ちてしまう問題は、電気料金が高くなってしまうとはいえ契約電力を増やすことにより解決できるが、次には同一の配線系統での消費電力量に影響される配線用遮断器が落ちてしまう問題が生じる。
【００１８】
すなわち分電盤の配線用遮断器は１５〜２０Ａであり、この内浴槽湯清浄化装置が９Ａ消費すると、容量が１５Ａの場合は勿論のこと２０Ａの場合でも同一の配線系統で消費電力の大きな電気機器類を利用すると配線用遮断器は容量を越えて落ちてしまう。
【００１９】
浴槽湯清浄化装置は浴室内に配備するものであるが浴室内にはコンセントを設けられないので通常は隣の脱衣室或いは台所等のコンセントに接続する。
【００２０】
所が脱衣室、台所等はヘアードライヤ、衣類乾燥機、電子レンジ、ホツトプレートといった消費電力の大きな電気機器類が利用される場所であるので、浴槽湯清浄化装置は消費電力量の大きな配線系統から電源を取ることとなり、配線用遮断器が容量を越えてしばしば落ちてしまうことになる。
【００２１】
このため、脱衣室或いは台所で前記したような消費電力の大きな電気機器類を利用しようとする場合には、配線用遮断器を落とさないようにするため、運転条件入力手段の停止手段を操作して装置の運転そのものを止めるか、入り切りスイツチを兼ねる湯温入力手段を操作してヒータを切るかしなければならない。
【００２２】
しかしながら、消費電力の大きな電気機器類を利用するために浴槽湯清浄化装置の運転を止めたり或いはヒータでの加熱を止めたりした場合、電気機器類の利用を終えたなら再び運転条件入力手段としてのキーの操作により運転を開始したりヒータを入れたりしなければならないにもかかわらずこれを忘れてしまうことがしばしばある。
【００２３】
装置の運転を停止したり或いはヒータを切ったままにして置くと湯温が下がり、また清浄化が不十分になってしまうが、特に湯温が一旦下がってしまうとこれを適温まで上げるのに時間が掛かってしまい、入浴したい時期に入浴でなくなってしまう。
【００２４】
本発明は前記したような従来技術の欠点を解消し、消費電力の大きな電気機器類を利用するためにヒータを切っても、これを入れ忘れて湯温が下がってしまわないような浴槽湯清浄化装置を提供することを目的とする。
【００２５】
【課題を解決するための手段】
本発明は、浴槽内の湯を循環ポンプにより吸湯管から汲み上げ、湯の汚れを濾過する濾過手段と、湯を殺菌する殺菌手段と、所定温度の湯を保温する保温ヒータとを備え、保温と清浄化処理を施して再度湯を噴湯管から浴槽へ戻す浴槽湯の清浄化装置において、前記保温ヒータヘの電力を一時的に切断するためのヒータ一時切断手段と、該ヒータ一時切断手段による電力供給切断であることを表示する表示手段と、前記ヒータ一時切断手段による切断時に湯の保温温度が大幅に温度低下しない予め定めた時間を計測するタイマーと、前記ヒータ一時切断手段に対応して、前記ヒータヘの電力供給を前記タイマーの計測時間だけ切断すると共に、前記タイマー終了後に自動的に前記ヒータヘ電力供給するようにしたことにより課題を解決することができた。
さらに本発明は、浴槽内の湯を循環ポンプにより吸湯管から汲み上げ、湯の汚れを濾過する濾過手段と、湯を殺菌する殺菌手段と、所定温度の湯を保温する保温ヒータとを備え、保温と清浄化処理を施して再度湯を噴湯管から浴槽へ戻す浴槽湯の清浄化装置において、前記保温ヒータヘの電力を一時的に切断するためのヒータ一時切断手段と、該ヒータ一時切断手段による電力供給切断であることを表示する表示手段と、前記ヒータ一時切断手段による切断時に湯の保温温度が大幅に温度低下しない予め定めた時間を計測するタイマーと、前記ヒータ一時切断手段に対応して、前記ヒータヘの電力供給を前記タイマーの計測時間だけ切断して、前記タイマー終了後に自動的に前記ヒータヘ電力供給するようにすると共に、前記タイマー終了前の電力供給切断時に入力手段の操作により切断制御を解除するようにしたことにより課題を解決することができた。
【００２６】
【発明の作用】
本発明は以上のように構成され、各種の装置の運転条件を入力する運転条件入力手段にヒータ一時切断入力手段が配備され、浴槽湯清浄化装置と同一の配線系統で消費電力の大きな電気機器を利用しようとする場合にはこれを操作すれば消費電力の大きなヒータが切れ、消費電力の大きな電気機器を利用しても配線用遮断器が落ちるようなことはなくなる。
【００２７】
ヒータは、ヒータ一時切断入力手段を操作して切った場合には制御手段の一時切断ヒータ制御プログラム記憶手段に記憶されたプログラムに設定された約１時間程度の一定の時間だけしか切られていないので従来の湯温入力手段を利用して切った場合のように入れ忘れて湯温が下がってしまうようなことはなくなる。
【００２８】
さらに、第２請求項のように一時切断ヒータ制御プログラム記憶手段に記憶されたプログラムを運転条件入力手段のヒータ一時切断入力手段以外の入力手段の操作があった場合にはヒータ一時切断が解消するようなプログラムにして置くと、ヒータを一時切断したために一定時間必ずヒータが切れていて入浴温度まで戻すには必ず一定時間を必要とするようなことはなくなる。
【００２９】
これにより、例えばヒータ一時切断中であっても消費電力の大きな電気機器類の利用が終わり入浴したくなったなら、入浴モードの入力手段を操作すれば直ちにヒータが入りヒータの切断時間は短いので殆ど湯温が下がっておらず直ちに適温での入浴ができるようになる。
【００３０】
【実施例】
次に本発明の実施例について図面に基づいて説明する。
【００３１】
図１には本発明の基本的な構成を示す制御ブロツク図が示されており、２１が各種の入力キーが配備されたキー入力装置である運転条件入力手段であり、この運転条件設定手段２１には、運転／停止、湯温、入浴モード、静音モード、逆洗モード、強運転を含むジエツトモード等の各種の従来の運転条件の入力手段に加えてヒータ一時切断入力手段２２が配備され、２０は前記した湯の循環路に湯温を検知するため配備されたサーミスタのような湯温センサである。
【００３２】
２３は制御手段による装置の制御に際して必要な全ての時間或いは時刻を設定し、又時間或いは時刻の経過を計測するタイマであり、このタイマ２３は、当然のことながらヒータを一時切断しての運転が行われ際の切断時間を設定し、この切断時間の経過を計測するヒータ一時切断タイマ２４としても機能する。
【００３３】
２５は装置の全体的な制御をするためのマイクロコンピユータである制御手段であり、この制御手段２５は中央演算処理装置としてのＣＰＵである運転制御手段２６、運転制御手段２６による各種の運転制御に必要なプログラムやデータを記憶したプログラムＲＯＭである運転プログラム記憶手段２７、及び運転制御手段２５での運転制御に際しての演算処理等のためデータを一時的に記憶するＲＡＭ２９から成っており、前記したヒータ一時切断タイマ２４としても機能するタイマ２３もこの制御手段２４の一部である。
【００３４】
制御手段２５の運転プログラム記憶手段２６には、勿論ヒータを約１時間程度一時的に切断する運転を含むヒータの制御プログラムを記憶した一時切断ヒータ制御プログラム記憶手段２８も含まれている。
【００３５】
３０はヒータ７への電源の供給をリレーの開閉によりＯＮ−ＯＦＦするヒータ駆動リレー回路であり、ヒータ７はこのヒータ駆動リレー回路３０を介して制御手段２５により運転条件入力手段２１の湯温入力手段やヒータ一時切断入力手段２２の入力に応じて一時切断ヒータ制御プログラム記憶手段２８に記憶されたプログラムに基づいてＯＮ−ＯＦＦ制御される。
【００３６】
すなわち、ヒータ７は運転条件入力手段２１の湯温入力手段による入力に応じて入り切りされると同時に湯温が設定され、湯温センサ２０による湯温の検知温度に基づいて設定された湯温が保たれるように制御され、さらにヒータ一時切断入力手段２２の入力に応じて一時切断ヒータ制御プログラム記憶手段２８に記憶された時間だけ切断しているようにヒータ駆動リレー回路３０のリレーの開閉により制御される。
【００３７】
３１は循環ポンプ６に駆動電源を供給するポンプ駆動回路であり、３２は設定及び検知湯温や入力された運転モード等の装置の運転状態を表示する表示装置３３に駆動電源を供給する表示駆動回路であり、この表示装置３３にはヒータ一時切断中であることを表示するヒータ一時切断表示装置３４も含まれる。
【００３８】
以上のように基本的に構成される本発明の装置の運転は、運転条件入力手段２１での入力に応じて制御手段２５により運転プログラム記憶手段２７に記憶されたプログラムに基づいて制御されるが、この内一時切断ヒータ制御プログラム記憶手段２８に記憶されたプログラムに基づくヒータ一時切断の制御について図２〜図５のフローチヤートに基づいて説明する。
【００３９】
まず図２によりヒータ７のヒータ駆動リレー回路３０を介してのリレーの開閉によるＯＮ−ＯＦＦ制御について説明すると、第１ステツプＳ１０１として湯温センサ２０で循環中の湯の温度を検知し、第２ステツプＳ１０２として検知湯温と設定湯温とを比較し湯温が設定温度以下であるか否かを判別する。
【００４０】
第２ステツプＳ１０２での判別の結果湯温が設定温度以上と判別された場合には、第３ステプＳ１０３でヒータ７をＯＦＦし、湯温が設定温度以下と判別された場合には、第４ステツプＳ１０４でヒータ一時切断運転中であるか否かをヒータ一時切断タイマ２４に切断時間が設定がされているか否かにより判別する。
【００４１】
第４ステツプＳ１０４でヒータ一時切断タイマ２４に切断時間が設定がされていてヒータ一時切断運転中であると判別された場合には、湯温が設定温度以下であるがヒータ７はＯＦＦの状態とし、切断時間が設定がされていなくてヒータ一時切断運転中でないと判別された場合には、湯温が設定温度以下であるので第５ステツプＳ１０５としてヒータ７をＯＮする。
【００４２】
以上のようにヒータ７は湯温センサ２０で検知された湯温が設定温度以上の場合は勿論、設定温度以下の場合でもヒータ一時切断タイマ２４に切断時間が設定がされているか否かを判別しヒータ一時切断運転中である場合にはＯＦＦし、湯温が設定温度以下でかつヒータ一時切断タイマ２４に切断時間の設定がなくヒータ一時切断運転中でない場合に限ってＯＮされるように制御される。
【００４３】
次に図３によりキー入力装置である運転条件設定手段２１での入力キー処理のプログラムについて説明すると、第１ステツプＳ２０１で運転条件設定手段２１での各種の入力キーの操作状態を読み取り、第２ステツプＳ２０２でヒータ一時切断手段２２がキー入力されているか否かを判別する。
【００４４】
第２ステツプＳ２０２でヒータ一時切断手段２２がキー入力されていると判別された場合には、第３ステツプＳ２０３としてヒータ一時切断タイマ２４に切断時間を設定し、キー入力されていないと判別した場合には、第４ステツプＳ２０４として湯温の入力キーが入力されているか否かを判別する。
【００４５】
第４ステツプＳ２０４で湯温の入力キーが入力されていると判別された場合には、まず第５ステツプＳ２０５で入力された湯温を設定し、その後第６ステツプＳ２０６としてヒータ一時切断タイマ２４をクリアし、湯温センサ２０により検知した湯温に基づいてヒータ７をＯＮ−ＯＦＦできる状態にする。
【００４６】
第４ステツプＳ２０４で湯温の入力キーが入力されていないと判別された場合には、湯温設定は行わずに第７ステツプＳ２０７としてヒータ一時切断及び湯温以外の何らかの運転条件入力キーが入力されたか否かを判別し、何れかの運転条件入力キーが入力されたと判別された場合には、まず第８ステツプＳ２０８でキー入力に応じた運転条件を設定し、その後前記した第６ステツプＳ２０６に戻ってヒータ一時切断タイマ２４をクリアする。
【００４７】
このようにキー処理のプログラムは、ヒータ一時切断入力手段２２によるキー入力がない場合は勿論ヒータ一時切断タイマ２４はクリアされているが、キー入力がありヒータ一時切断タイマ２４に切断時間が設定されていても、湯温及び他の運転条件のキー入力があった場合にはヒータ一時切断タイマ２４がクリアされるようになっている。
【００４８】
この結果、運転条件入力手段２１のヒータ一時切断入力手段２２の入力によりヒータ一時切断運転が行われていても、運転条件入力手段２１により湯温その他のヒータ一時切断以外のキー入力があった場合にはヒータ一時切断タイマ２４がクリアされてされてヒータ一時切断運転が解除され、湯温入力があった場合には設定されたた湯温を保つようにヒータ７がＯＮ−ＯＦＦされ、再びヒータ一時切断が入力された場合にはタイマに切断時間を設定しヒータ一時切断運転となれる状態となる。
【００４９】
次に図４に基づいてヒータ一時切断運転を表示するための表示処理のプログラムについて説明すると、第１ステツプＳ３０１で運転条件入力手段２１で入力され制御手段２５に設定された湯温と湯温センサ２０で検知した湯温とを表示装置３３に表示する。
【００５０】
第２ステツプＳ３０２ではヒータ一時切断タイマ２４に切断時間が設定されているか否かを判別し、ヒータ一時切断タイマに切断時間が設定されていないと判別された場合には、第３ステツプＳ３０３として表示装置３３に設けられたヒータ一時切断表示装置３４の表示を消す。
【００５１】
一方、第２ステツプＳ３０２でヒータ一時切断タイマ２４に切断時間が設定されていると判別判別された場合には、表示装置３３に設けられたヒータ一時切断表示装置３４の表示を点けヒータ一時切断運転であることを表示する。
【００５２】
以上のようにして表示装置３３のヒータ一時切断表示装置３４へのヒータ一時切断運転中であるか否かの表示を行った後、第５ステツプＳ３０５で表示装置３３の運転条件入力手段２１での入力に応じた他の運転条件の表示を点灯する。
【００５３】
以上のように、運転条件入力手段２１のヒータ一時切断入力手段２２での入力によりヒータ一時切断運転の状態になった場合には、表示装置３３のヒータ一時切断表示装置３４にこれが表示されるようになっている。
【００５４】
最後に図５によりヒータ一時切断タイマ２４としても機能するタイマ２３の割込み処理のプログラムについて説明すると、第１ステツプＳ４０１で図３に示したキー処理を行い、第２ステツプＳ４０２で図４に示した表示処理を行い第３ステツプＳ４０３でタイマ２３であるヒータ一時切断タイマ２４にヒータ一時切断時間が設定されているか否かを判別する。
【００５５】
第３ステツプＳ４０３でヒータ一時切断タイマ２４にヒータ一時切断時間が設定されていると判別された場合には、第４ステツプＳ４０４でヒータ一時切断タイマ２４によりヒータ一時切断時間の経過を計測し、ヒータ一時切断時間が設定されていないと判別された場合に、第５ステツプＳ４０５でタイマ２３による入浴その他の運転条件設定手段２１により入力された各種の運転モードでの運転に必要な時間、時刻の設定及び時間、時刻の計測等のタイマ処理をする。
【００５６】
以上のようにタイマ処理のプログラムは、運転条件入力手段２１のヒータ一時切断入力手段２２による入力があった場合には、直ちにタイマ２３をヒータ一時切断タイマ２４として機能させ、ヒータ一時切断の運転を行うために必要な時間の設定及び計測の処理をするようになっている。
【００５７】
【発明の効果】
本発明は以上のような構成及び作用のものであり、運転条件の入力手段としてのキー入力装置にヒータを一時的に切るヒータ一時切断キーが設けられており、このキーが操作されるとヒータは約１時間程度の制御手段に記憶された切断時間だけ一時的に切れ、浴槽湯清浄化装置が接続されたと同一の配線系統で例えばドライヤのような消費電力の大きな電気機器を利用しても配線用遮断器が容量を越え落ちてしまう心配がなくなる。
【００５８】
しかもヒータの切断は１時間程度終わり自動的に再び入るので、消費電力の大きな電気機器を利用するためにヒータの入力キーを操作して切る従来の場合のように、ヒータを切った後に入れ忘れて長時間にわたってヒータが切れていたために湯温が下がり過ぎ、入浴温度まで湯温が上がるのに時間が掛かってなかなか入浴できなくなってしまうようなことはない。
【００５９】
さらにヒータ一時切断キーを操作してヒータを一時的に切っていても、ヒータ一時切断キー以外のキーの操作をするとヒータの一時切断は切断時間が経過し終わっていなくても解除されるので、入浴したくなったら入浴キーの操作をすれば直ちにヒータが入り加熱が始められ、ヒータの切断時間も短く湯温は殆ど下がっていないので直ちに入浴できるようになる。
【図面の簡単な説明】
【図１】基本制御ブロツク図、
【図２】ヒータ制御フローチヤート、
【図３】キー処理フローチヤート、
【図４】表示処理フローチヤート、
【図５】タイマ割込み処理フローチヤート、
【図６】浴槽湯清浄化装置配管図。
【符号の簡単な説明】
１                   浴槽
２                   湯
３                   吸湯管
４                   装置本体
５                   濾過タンク
６                   循環ポンプ
７                   ヒータ
８                   オゾナイザ
９                   噴湯管
２０                   湯温センサ
２１                   運転条件入力手段
２２                   ヒータ一時切断入力手段
２４                   ヒータ一時切断タイマ
２８                   一時切断ヒータ制御プログラム記憶手段
３４                   ヒータ一時切断表示装置
【図１】
0003672961.tif 000002
【図２】
0003672961.tif 000003
【図３】
0003672961.tif 000004
【図４】
0003672961.tif 000005
【図５】
0003672961.tif 000006
【図６】
0003672961.tif 000007